(57)【要約】【課題】  ズームレンズや広角レンズに装着してもカメラ内蔵ストロボのストロボ光を覆うことのないレンズフードを提供すること。【解決手段】  カメラの撮影レンズ１４の先端部に着脱されるレンズフード１であって、前記レンズフード１には、前記撮影レンズ１４の画角を超える方向からの入射光を防止する遮光部材１１が前記撮影レンズ１４の光軸に略直交する面上に備えられているレンズフード１。【選択図】  図１
2006058786.tif 000002
【特許請求の範囲】
【請求項１】
カメラの撮影レンズの先端部に着脱されるレンズフードであって、
前記レンズフードには、前記撮影レンズの画角を超える方向からの入射光を防止する遮光部材が前記撮影レンズの光軸に略直交する面上に備えられていることを特徴とするレンズフード。
【請求項２】
前記遮光部材に対して被写体側と前記撮影レンズ側の少なくとも一方の側にフィルタ部材が備えられていることを特徴とする請求項１に記載のレンズフード。
【請求項３】
前記遮光部材に対して前記被写体側にレンズキャップを装着するための凹部を有する丸環を備えていることを特徴とする請求項１又は２に記載のレンズフード。
【請求項４】
前記丸環には、アクセサリ取付防止用のテーパーが形成されていることを特徴とする請求項３に記載のレンズフード。
【請求項５】
前記遮光部材は、固定開口絞り又は可変開口絞りからなることを特徴とする請求項１から４のいずれか１項に記載のレンズフード。
【請求項６】
前記可変開口絞りは、前記撮影レンズの画角の変化に応じて開口径が変更可能であることを特徴とする請求項５に記載のレンズフード。
【請求項７】
前記可変開口絞りは、前記カメラからの前記撮影レンズの画角情報に基づき前記開口径を自動的に変更可能であることを特徴とする請求項５又は６に記載のレンズフード。
【請求項８】
前記可変開口絞りは、前記丸環を回動することによって開口径を変更可能であることを特徴とする請求項３から６のいずれか１項に記載のレンズフード。
【請求項９】
前記丸環には、前記固定開口絞り又は前記開口絞りの開口径を示すマークを備えていることを特徴とする請求項３又は４又は８に記載のレンズフード。
【発明の詳細な説明】
【技術分野】
【０００１】
本発明は、カメラの撮影レンズの先端部に着脱されて用いられるレンズフードに関する。
【背景技術】
【０００２】
カメラの撮影レンズでは、撮影レンズの画角外の領域からの光の入射を防止するために、撮影レンズ先端の外周部に着脱可能なレンズフードが用いられている（例えば、特許文献１参照。）。
【特許文献１】特開平１１−２９５７８０号公報
【発明の開示】
【発明が解決しようとする課題】
【０００３】
特許文献１に開示された従来のレンズフードは、撮影レンズの画角を確保するためにレンズフードの直径が撮影レンズの先端の直径に比べて大きく形成されている。ズームレンズのように画角が大きく変化するレンズに用いるレンズフードや広角レンズ用のレンズフードでは、撮影画角を確保するためにレンズフードの直径が撮影レンズに比べ非常に大きくなりレンズフードがカメラ内蔵ストロボからのストロボ光の一部を覆いストロボ光にケラレが生ずると言う問題がある。
【０００４】
本発明は上記問題に鑑みて行われたものであり、ズームレンズや広角レンズに装着してもカメラ内蔵ストロボからのストロボ光を覆うことのないレンズフードを提供することを目的としている。
【課題を解決するための手段】
【０００５】
上記目的を達成するために、本発明は、カメラの撮影レンズの先端部に着脱されるレンズフードであって、前記レンズフードには、前記撮影レンズの画角を超える方向からの入射光を防止する遮光部材が前記撮影レンズの光軸に略直交する面上に備えられていることを特徴とするレンズフードを提供する。
【０００６】
また、本発明のレンズフードは、前記遮光部材に対して被写体側と前記撮影レンズ側の少なくとも一方の側にフィルタ部材が備えられている構成が好ましい。
【０００７】
また、本発明のレンズフードは、前記遮光部材に対して前記被写体側にレンズキャップを装着するための凹部を有する丸環を備えていることが好ましい。
【０００８】
また、本発明のレンズフードでは、前記丸環には、アクセサリ取付防止用のテーパーが形成されていることが好ましい。
【０００９】
また、本発明のレンズフードでは、前記遮光部材は、固定開口絞り又は可変開口絞りからなることが好ましい。
【００１０】
また、本発明のレンズフードでは、前記可変開口絞りは、前記撮影レンズの画角の変化に応じて開口径が変更可能であることが好ましい。
【００１１】
また、本発明のレンズフードでは、前記可変開口絞りは、前記カメラからの前記撮影レンズの画角情報に基づき前記開口径を自動的に変更可能であることが好ましい。
【００１２】
また、本発明のレンズフードでは、前記可変開口絞りは、前記丸環を回動することによって開口径を変更可能である構成が好ましい。
【００１３】
また、本発明のレンズフードでは、前記丸環には、前記固定開口絞り又は前記開口絞りの開口径を示すマークを備えていることが好ましい。
【発明の効果】
【００１４】
本発明によれば、ズームレンズや広角レンズに装着してもカメラ内蔵ストロボからのストロボ光を覆うことのないレンズフードを提供することができる。
【発明を実施するための最良の形態】
【００１５】
以下、本発明の実施の形態に関し図面を参照しつつ説明する。
【００１６】
図１は、本発明の第１実施の形態にかかるレンズフードの要部断面図である。図２は、第１実施の形態のレンズフードの正面透視図である。図３は、本発明の第２実施の形態にかかるレンズフードの要部断面図である。図４は、本発明の第３実施の形態にかかるレンズフードの正面透視図である。図５は、本発明の実施の形態にかかるレンズフードをカメラに装着しレンズキャップを取付けた状態を示す図である。
【００１７】
（第１実施の形態）
図１、図２において、軸Ｏを中心軸とする第１の輪帯状部分３ａに結合して中心軸Ｏに沿って延在する腕部分３ｂと腕部分３ｂに結合された第２の輪帯状部分３ｃとが一体に形成された断面形状が略Ｌ字状の前側丸環３と、軸Ｏを中心軸とする第１の円筒状部分５ａに結合して径方向内側に延在する腕部分５ｂと腕部分５ｂに結合された第２の円筒状部分５ｃとが一体に形成された断面形状が略Ｌ字状の後側丸環５とから構成されている。
【００１８】
前側丸環３の腕部分３ａの外周部３ｄと後側丸環５の第１の円筒状部分５ａの内周部５ｄは互いに摺動可能に嵌合され、腕部分３ａの外周部３ｄに形成された凹部３ｅと第１円筒状部分５ａの内周部５ｄに凹部３ｅに対向して形成された凹部５ｅとに平座金７が係合されて前側丸環３と後側丸環５とが離脱しないように支持され、前側丸環３が後側丸環５に対して回動可能に構成されている。
【００１９】
第２の円筒状部分５ｃの外周部には撮影レンズ１４（図５参照）の鏡筒先端部内側に形成されている不図示のネジ部と螺合するネジ部５ｇが形成されている。
【００２０】
第１の輪帯状部材３ａの外周部３ｆと第１の円筒状部材５ａの外周部５ｆには、回転時のすべり防止の為のローレット加工が施され、第１輪帯状部材３ａの被写体側内周部には、アクセサリ等の取付けを防止するためにテーパー３ｇが設けられている。
【００２１】
第２の輪帯状部分３ｃには、図２に示すように円周上に略等間隔に配置された９個の固定ビス９により９枚の絞り羽根１１が回動可能にそれぞれ支持され、９枚の絞り羽根１１の長孔１１ａに係合するビス１３が後側丸環５の腕部５ｂにそれぞれ配設されている。前側丸環３を回動させた際、ビス１３が長孔１１ａに係合した状態で９枚の絞り羽根１１がそれぞれほぼ同量移動して９枚の絞り羽根１１によって形成される開口の直径が変更される。
【００２２】
前側丸環３のローレット加工された外周部３ｆの一部には、現在の開口部の直径（画角）を示す不図示の数値マークが形成され、後側丸環５のローレット加工された外周部５ｆの一部に上記数値マークを指示する指示マークが形成されている。指示マークに数値マークを合わせることによって現在の開口部の直径（画角）が目視で設定及び確認可能となる。この様にして、レンズフード１が構成されている。
【００２３】
本第１実施の形態のレンズフード１は、撮影レンズ１４の鏡筒先端部内側のネジ部に後側丸環５のネジ部５ｇをねじ込み支持され、絞り羽根１１が撮影レンズ１４の被写体側前方に配設される。前側丸環３を回動し絞り羽根１１を所定の直径（画角）に設定すると、絞り羽根１１で形成された開口径により設定される画角を超える方向からの光が撮影レンズ１４に入射することを防止することが可能になる。
【００２４】
レンズフード１は、図５に示すように、前側丸環３及び後側丸環５が撮影レンズ鏡筒の外径より僅かに大きい形状に構成されているため、従来のレンズフードで問題となった内蔵ストロボからのストロボ光のケラレを防止することが可能になる。また、前側丸環３を回動することで開口径（画角）を変更することが出来るため、１つのレンズフードで広角レンズから望遠レンズまでの各画角に対応したレンズフードとして用いることが可能となる。
【００２５】
（第２実施の形態）
次に、図３に基づき本発明の第２実施の形態にかかるレンズフードに関し詳説する。
【００２６】
図３において、軸Ｏを中心軸とする第１の輪帯状部分５３ａに結合して中心軸Ｏに沿って延在する腕部分５３ｂと腕部部分５３ｂに結合された第２の輪帯状部分５３ｃとが一体に形成された断面形状が略Ｌ字形状の前側丸環５３と軸Ｏを中心軸とする第１の円筒状部分５５ａに結合して径方向内側に延在する腕部分５５ｂと腕部分５５ｂに結合された第２の円筒状部分５５ｃとが一体に形成された断面形状が略Ｌ字形状の後側丸環５５とから構成されている。
【００２７】
前側丸環３３の腕部分５３ａの外周部５３ｄと後側丸環５５の第１の円筒状部分５５ａの内周部５５ｄは互いに摺動可能に嵌合され、腕部分５３ａの外周部５３ｄに形成された凹部５３ｅと第１円筒状部分５５ａの内周部５５ｄに凹部５３ｅに対向して形成された凹部５５ｅとに平座金７が係合されて前側丸環５３と後側丸環５５とが離脱しないように支持され、前側丸環５３が後側丸環５５に対して回動可能に構成されている。
【００２８】
第２の円筒状部分５５ｃの外周部には撮影レンズ１４（図５参照）の鏡筒先端部内側に形成されている不図示のネジ部と螺合するネジ部５５ｇが形成されている。
【００２９】
第１の輪帯状部材５３ａの外周部５３ｆと第１の円筒状部材５５ａの外周部５５ｆには、回転時のすべり防止の為のローレット加工が施され、第１輪帯状部材５３ａの内周部にはレンズキャップ６０を取付けるための凹部５３ｘが設けられ、凹部５３ｘの被写体側突起部の内径側にはアクセサリ等の取付けを防止するためにテーパー５３ｇが設けられている。
【００３０】
第２の輪帯部材５３ｃの内径側端部にはフィルタ部材６５を保持する保持部５３ｈが配設されて、フィルタ部材６５の外周部に嵌合している。
【００３１】
第２の輪帯状部分５３ｃには、円周上に略等間隔に配置された９個の固定ビス９により９枚の絞り羽根１１が回動可能にそれぞれ支持され、９枚の絞り羽根１１の長孔１１ａに係合するビス１３が後側丸環５５の腕部５５ｂにそれぞれ配設されている。前側丸環５３を回動させた際、ビス１３が長孔１１ａに係合した状態で９枚の絞り羽根１１がそれぞれほぼ同量移動して９枚の絞り羽根１１によって形成される開口の直径（画角）が変更される。
【００３２】
前側丸環５３のローレット加工された外周部５３ｆの一部には、現在の開口部の直径（画角）を示す不図示の数値マークが形成され、後側丸環５５のローレット加工された外周部５５ｆの一部に上記数値マークを指示する指示マークが形成されている。指示マークに数値マークを合わせることによって現在の開口部の直径（画角）が目視で設定及び確認可能となる。この様にして、レンズフード５１が構成されている。
【００３３】
本第２実施の形態のレンズフード５１は、撮影レンズ１４の鏡筒先端部内側のネジ部に後側丸環５５のネジ部５５ｇをねじ込み支持され、絞り羽根１１が撮影レンズ１４の被写体側前方に配設され、フィルタ部材６５は絞り羽根１１と撮影レンズ１４との間に配置される。前側丸環５３を回動し絞り羽根１１を所定の直径（画角）に設定すると、絞り羽根１１で形成された開口径により設定される画角を超える方向からの光が撮影レンズ１４に入射することを防止することが可能になる。
【００３４】
レンズフード５１は、図５に示すように、前側丸環５３及び後側丸環５５が撮影レンズ１４の鏡筒の外径より僅かに大きい形状に構成されているため、従来のレンズフードで問題となった内蔵ストロボからのストロボ光のケラレを防止することが可能になる。また、前側丸環５３を回動することで開口径（画角）を変更することが出来るため、１つのレンズフードで広角レンズから望遠レンズまでの各画角に対応したレンズフードとして用いることが可能となる。
【００３５】
なお、フィルタ部材６５は絞り羽根１１の撮影レンズ１４側に配置しているが、絞り羽根１１の被写体側に配置しても良いし、絞り羽根１１の撮影レンズ側１４にフィルタ部材６５を配置し、被写体側に絞り羽根１１を保護するための光学的に透明な保護部材を配置する構成にしても良い。
【００３６】
（第３実施の形態）
次に、図４に基づき本発明の第３実施の形態にかかるレンズフードに関し詳説する。第３実施の形態は、広角から望遠までをカバーするズームレンズの画角変化に自動的に対応可能なレンズフードである。
【００３７】
図４において、後側丸環１０５に配設された小型モータ１２１のモータ軸に小型モータ１２１の回転を伝達するベルト１２３が取付けられ、小型モータ１２１の回転はベルト１２３を介して後側丸環１０５に配設されたベルト軸１２５、１２６に伝達される。ベルト軸１２５、１２６の一方の軸には、前側丸環１０３の腕部の外周部に形成された歯車に噛み合う歯車が形成されており、小型モータ１２１の回転を歯車の噛み合いを介して前側丸環１０３に伝達する。前側丸環１０３が回転した際の絞り羽根１１の動作は、第１または第２実施の形態と同様であり説明を省略する。
【００３８】
本第３実施の形態では、カメラ本体の不図示のＣＵＰで撮影レンズ１４の画角情報からレンズフード１０１の開口径が算出され、絞り羽根１１の移動量が計算されて不図示のカメラの鏡筒接点部を介して小型モータ１２１に伝達される。小型モータ１２１は、ＣＰＵからの指示に基づき小型モータ１２１を回転し、ベルト１２３、ベルト軸１２５又は１２６の歯車を介して前側丸環を回転して絞り羽根１１を移動して開口径を所定の径（画角）に設定する。この様に本実施の形態では、撮影レンズ１４がズームレンズである場合に、ズームレンズの画角に応じて絞り羽根１１の移動量が調整され、開口径(画角)を自動的に変更することが可能になる。
【００３９】
なお、上述の実施の形態は例に過ぎず、上述の構成や形状に限定されるものではなく、本発明の範囲内において適宜修正、変更が可能である。
【図面の簡単な説明】
【００４０】
【図１】本発明の第１実施の形態にかかるレンズフードの要部断面図である。
【図２】第１実施の形態のレンズフードの正面透視図である。
【図３】本発明の第２実施の形態にかかるレンズフードの要部断面図である。
【図４】本発明の第３実施の形態にかかるレンズフードの正面透視図である。
【図５】本発明の実施の形態にかかるレンズフードをカメラに装着しレンズキャップを取付けた状態を示す図である。
【符号の説明】
【００４１】
１，５１，１０１    レンズフード
３，５３、１０３    前側丸環
５、５５，１０５    後側丸環
７        平座金
９        固定ビス
１１      絞り羽根
１３      ビス
１４        撮影レンズ
６０        レンズキャップ
６５        フィルタ部材
１２１      小型モータ
１２３      ベルト
１２５、１２６    ベルト軸
Ｏ          中心軸
【図１】
2006058786.tif 000003
【図２】
2006058786.tif 000004
【図３】
2006058786.tif 000005
【図４】
2006058786.tif 000006
【図５】
2006058786.tif 000007